(57)【特許請求の範囲】
【請求項１】
一方向クラッチを介してロータの回転軸に制動体を連結し、該制動体をロータの逆回転時のみロータと一体的に回転するように構成すると共に、リール本体に設けた操作レバーの操作によって前記制動体の回転に制動力を付与する制動装置を備えた魚釣用スピニングリールにおいて、前記リール本体に、各種駆動装置を収容するギャボックスと、前記制動体と一方向クラッチを収容する制動ボックスを構成する前側筒部と、前記操作レバーを収容する凹部とを設けて、前記ギャボックスと制動ボックス及び凹部とを仕切る仕切壁を形成し、前記ギャボックスの前側の仕切壁には、前記制動体の制動部に圧接可能に臨まされる制動駒が嵌合する貫通孔が設けられると共に、前記制動ボックスを構成するリール本体の前側筒部の前側には、支持板がビスで取り付けられていることを特徴とする魚釣用スピニングリール。
【発明の詳細な説明】
【０００１】
【発明の属する技術分野】
本発明は、ロ−タの回転に制動力を付与する制動装置を備えた魚釣用スピニングリ−ルの改良に関する。
【０００２】
【従来の技術】
従来、一方向クラッチを介してロ−タの回転軸に制動体を連結し、ロ−タの逆回転時のみ制動体とロ−タとが一体的に回転するように構成すると共に、リ−ル本体の脚部に設けられた操作レバ−の牽引操作によって制動体の回転に制動力を付与して、魚種、魚のファイト状況等、魚釣り状況に応じてロ−タの回転状態を制御する制動装置を備えた魚釣用スピニングリ−ルが、特許第３０４３７５６号公報、特開平１１−１８７７９３号公報等において開示されている。
【０００３】
これら魚釣用スピニングリ−ルには、ロ−タの回転状態を制御する制動装置の他に、ロ−タの逆回転を防止する切換装置を有する逆転防止装置を備えている。前記従来技術で開示されているように、操作レバ−が装着されるリ−ル本体の上部から前部にかけては、操作レバ−や関連部品の変位・収容スペ−ス分が開口されているので、この開口部を通して海水、水、異物等が巻き取り駆動機構、往復動機構等が収容されるギヤボックス内に侵入、付着し易く、内部の金属部品が腐食したり、潤滑油が劣化したりして、内部駆動部材に作動不良等の不具合が生じ易い。
【０００４】
【発明が解決しようとする課題】
解決しようとする問題点は、操作レバ−が装着されるリ−ル本体の上部から前部にかけては、操作レバ−や関連部品の変位・収容スペ−ス分が開口されているので、この開口部を通して海水、水、異物等が巻き取り駆動機構、往復動機構等が収容されるギヤボックス内に侵入、付着し易く、内部の金属部品が腐食したり、潤滑油が劣化したりして、内部駆動部材に作動不良等の不具合が生じ易いことである。
【０００５】
本発明の目的は前記欠点に鑑み、リ−ル本体の操作レバ−が装着された部位に仕切壁を設けて各種駆動操作が収容されるギヤボックスを仕切り、海水、水、異物等の侵入を防止した魚釣用スピニングリ−ルを提供することである。
【０００６】
【課題を解決するための手段】
上記課題を解決するために、
請求項１に係わる本発明は、一方向クラッチを介してロータの回転軸に制動体を連結し、該制動体をロータの逆回転時のみロータと一体的に回転するように構成すると共に、リール本体に設けた操作レバーの操作によって前記制動体の回転に制動力を付与する制動装置を備えた魚釣用スピニングリールにおいて、前記リール本体に、各種駆動装置を収容するギャボックスと、前記制動体と一方向クラッチを収容する制動ボックスを構成する前側筒部と、前記操作レバーを収容する凹部とを設けて、前記ギャボックスと制動ボックス及び凹部とを仕切る仕切壁を形成し、前記ギャボックスの前側の仕切壁には、前記制動体の制動部に圧接可能に臨まされる制動駒が嵌合する貫通孔が設けられると共に、前記制動ボックスを構成するリール本体の前側筒部の前側には、支持板がビスで取り付けられていることを要旨とするものである。
【０００７】
【発明の実施の形態】
請求項１の本発明により、ギャボックスαと細長い凹部１ｃは仕切壁１ｅで仕切られ、ギャボックスαと制動ボックスβは仕切壁１ｆで仕切られているから、使用環境の厳しい釣場においても、海水、水、異物等が駆動装置や図示しないスプール１４の前後往復動装置が収容されたギャボックスα内に侵入、付着することを確実に防止できるので、内部の金属部品の腐食や潤滑油が劣化したりすることがなく、常時安定した良好な作動が得られる。
【０００８】
【実施例】
以下、図示の実施例によって本発明を説明すると、図１から図８は第１実施例で、図１は魚釣用スピニングリ−ルの一部断面側面図、図２は魚釣用スピニングリ−ルの一部断面平面図、図３は魚釣用スピニングリ−ルの要部断面側面図、図４は図２のＦ４−Ｆ４断面線の断面正面図、図５は魚釣用スピニングリ−ルの逆転防止が解除された要部拡大断面側面図、図６は制動装置の分解斜視図、図７は一方向クラッチと制動体の要部断面正面図、図８は制動操作が行われた要部拡大断面側面図である。
【０００９】
魚釣用スピニングリ−ルのリ−ル本体１は、上側に釣竿１０に取り付ける脚部１ａが突出形成され、その基部１ｂの下側に細長い凹部１ｃが形成されると共にリ−ル本体１の側部に蓋板１１がビス１２で固定されている。
リ−ル本体１の内部は駆動歯車１３とピニオン４ａからなる駆動装置や図示しないスプ−ル１４の前後往復動装置が収容されたギヤボックスαと、ギヤボックスαより前側の一方向クラッチＡと制動体２と挾持部材１５が収納された制動ボックスβと、ギヤボックスαより上側の操作レバ−３が収容された細長い凹部１ｃと、ギヤボックスαの下側の逆転防止切換装置が収容された収容部γで構成されている。
細長い凹部１ｃの中に操作レバ−３と発条１６が内装されて細長い凹部１ｃの両側壁１ｄ、１ｄに軸承されたネジ筒軸１７で操作レバ−３が回動操作可能に軸承されている。
【００１０】
ギヤボックスαと細長い凹部１ｃは仕切壁１ｅで仕切られ、ギヤボックスαと制動ボックスβは仕切壁１ｆで仕切られ、ギヤボックスαと収容部γは仕切壁１ｇで仕切られている。
ギヤボックスαの前側の仕切壁１ｆに軸受１８が保持されると共に、制動ボックスβを構成するリ−ル本体１の前側筒部１ｈの前側に支持板１９が複数のビス２０で取り付けられて支持板１９に軸受２１が保持されている。
軸受１８、２１で中空軸筒４が回転自在に軸承されて中空軸筒４の後端にピニオン４ａが形成されている。
軸受１８、２１の間で制動ボックスβ内の中空軸筒４の外周には鍔付リング５とリング２２が嵌合され、軸受２１の前側の中空軸筒４の外周にロ−タ６の中心筒部６ａが回り止め嵌合されてナット２３で抜け止めされている。
【００１１】
鍔付リング５は円筒部５ａと円筒部一側外周の鍔部５ｂと軸受１８に当接される突出部５ｃとで形成され、円筒部５ａ外周にころがり式の一方向クラッチＡの内輪２４が嵌合固定され、一方向クラッチＡの外輪２５外周に制動体２の円筒部２ａ内周が嵌合されて発条２６で制動体２のフランジ状制動部２ｂが鍔付リング５の鍔部５ｂと制動駒２７方向に付勢されている。
発条２６は制動体２と支持板１９との間にワッシャ−２８を挾んで張設されている。
制動体２は円筒部２ａの後端にフランジ状制動部２ｂが一体又は別体で一体に固定されている。
制動部２ｂ外周に歯形の凹部からなる逆転防止用の係止部２ｃが形成されている。
【００１２】
制動ボックスβを構成するリ−ル本体１の前側筒部１ｈの内周には挾持部材１５が嵌合され、筒状の挾持部材１５には内向きの鍔部からなる挾持部１５ａが形成されて挾持部１５ａの後方に制動体２のフランジ状制動部２ｂが配置され、制動部２ｂに仕切壁１ｆの貫通孔１ｉに進退自在に嵌合された制動駒２７の前面が圧接可能に臨まされている。
中空軸筒４内に嵌合されて前側に突出されたスプ−ル軸２９の先端部にスプ−ル１４が支持され、スプ−ル１４はハンドル３０の回転に連動して図示しない往復動装置を介して前後に往復動される。
ピニオン４ａに駆動歯車１３が噛合され、ロ−タ６はハンドル３０の回転に連動して回転されるように支持されている。
【００１３】
操作レバ−３はネジ筒軸１７が軸承される軸承部３ａと、前方上方に突出されて釣竿１０を握った手の指で牽引自在に配置された操作部３ｂと、リ−ル本体１の細長い凹部１ｃ内に延びた押動部３ｃとで形成されている。
軸承部３ａの後面には突起３ｄが形成されて細長い凹部１ｃ内に設けられた突起１ｊに度当りされている。
操作レバ−３の押動部３ｃにはスリ割部が形成されてスリ割部に制動駒２７の後端部がピン３１と長孔２７ａで連結されている。
操作レバ−３は発条１６で押動部３ｃが制動駒２７を制動体２のフランジ状制動部２ｂより離間する図３、図５で反時計方向に付勢されている。
【００１４】
リ−ル本体１の下側の収容部γ内には逆転防止切換装置の係止部材８が収容され、カム３２と軸３３とレバ−３４で前後に摺動自在に設けられている。
係止部材８にはカム３２が嵌まるカム部８ａと係止部８ｂが形成されている。
係止部８ｂはリ−ル本体１の透孔１ｋに挿入されて前方の制動ボックスβ内に突出され、制動体２の外周の歯形の逆転防止用の係止部２ｃに係・脱可能に臨まされている。
【００１５】
一方向クラッチＡは図７のように、内輪２４と外輪２５と複数個の棒状ころがり部材３５と図示しないスペ−サとバネとで構成されている。
外輪２５の内周に複数個の凹部からなる棒状ころがり部材３５の自由回転域ａと、複数個の傾斜面からなる棒状ころがり部材３５が当接されて回転が阻止される阻止面ｂが形成されている。
各棒状ころがり部材３５はスペ−サで等間隔に保持されると共に、バネで棒状ころがり部材３５が傾斜面方向に付勢されている。
一方向クラッチＡの内輪２４外周を棒状ころがり部材３５が軸方向に移動可能に構成されている。
【００１６】
ロ−タ６は中心筒部６ａで中空軸筒４に取り付けられ、筒部６ａと前壁６ｂと大径の筒部６ｃと大径の筒部６ｃの基部の外周から前方に向けて突出された一対の支持腕６ｄ、６ｅとで形成されている。
一対のベ−ル支持腕６ｄ、６ｅの先端部外側に一方のベ−ル支持部材３６がビス３７で他方のベ−ル支持部材３８が図示しないビスで釣糸巻取位置と釣糸放出位置に反転自在に軸承されている。
一方のベ−ル支持部材３６には図示しない釣糸案内ロ−ラの取付部３９が取り付けられている。
他方のベ−ル支持部材３８と取付部３９の間にベ−ル４０が取り付けられている。
【００１７】
魚釣用スピニングリ−ルのロ−タ６がスプ−ル１４に巻回された釣糸の繰り出しで逆転されることを防止する時は、リ−ル本体１の下側の収容部γ内の逆転防止切換装置の係止部材８がレバ−３３で図３の垂直下方に回動されてカム３２で前進されて係止部８ｂが制動体２の外周の歯形の逆転防止用の係止部２ｃに係止された状態にする。
獲物の引きでスプ−ル１４に巻回された釣糸が繰り出されると、ロ−タ６と中空軸筒４と鍔付リング５と外輪２５が逆回転される。
しかし、制動体２に係止部材８が係止されているので、ロ−タ６と中空軸筒４と鍔付リング５と外輪２５の逆回転が瞬時に停止される。
【００１８】
ロ−タ６をフリ−回転させる時は、図５のようにレバ−３３とカム３２で係止部材８が後退されて係止部８ｂが制動体２の外周の歯形の逆転防止用の係止部２ｃから離脱した状態とする。
獲物の引きでスプ−ル１４に巻回された釣糸が繰り出されると、ロ−タ６と中空軸筒４と鍔付リング５と外輪２５が逆回転される。
この時ロ−タ６と中空軸筒４と内輪２４が逆回転されると、棒状ころがり部材３５が外輪２５の阻止面ｂに圧接されるから、制動体２が外輪２５と一体に逆回転される。
ロ−タ６と中空軸筒４と内輪２４が逆回転されると、棒状ころがり部材３５が外輪２５の阻止面ｂに圧接されるから、制動体２が外輪２５と一体に逆回転される。
【００１９】
この状態で操作レバ−３の操作部３ｂが牽引されていると、制動駒２７が制動部２ｂに圧接されて制動体２が発条２６に抗して軸方向に前進されると共に、制動部２ｂは挾持部材１５の挾持部１５ａに圧接され、制動体２と外輪２５は回転が停止状態となり、ロ−タ６と中空軸筒４と内輪２４の逆回転に瞬時に制動が掛けられる。
【００２０】
スプ−ル１４に釣糸が巻回される時は、図３のように一方のベ−ル支持部材３６が釣糸巻取位置で釣糸がスプ−ル１４に巻回される方向にハンドル３０が回転されると、中空軸筒４と鍔付リング５と一方向クラッチＡの内輪２４とロ−タ６が回転される。
この時各棒状ころがり部材３５は自由回転域ａに位置されるので、中空軸筒４及びロ−タ６の回転が制動体２に伝達されず、中空軸筒４及びロ−タ６は回転に支障を来さずに回転される。
前記状態で操作レバ−３の操作部３ｂが牽引されていると、制動駒２７が制動体２の制動部２ｂに圧接されて制動体２が発条２６に抗して軸方向に前進され、制動部２ｂは挾持部材１５の挾持部１５ａに圧接されて制動体２と外輪２５は回転が停止状態となるが、釣糸がスプ−ル１４に巻回される方向にハンドル３０が回転されているので、中空軸筒４と鍔付リング５とロ−タ６の回転に制動は掛けられない。
【００２１】
前記のように魚釣用スピニングリ−ルが構成されると、ギヤボックスαと細長い凹部１ｃは仕切壁１ｅで仕切られ、ギヤボックスαと制動ボックスβは仕切壁１ｆで仕切られ、ギヤボックスαと逆転防止切換装置の収容部γは仕切壁１ｇで仕切られているから、使用環境の厳しい釣場においても、海水、水、異物等が駆動装置や図示しないスプ−ル１４の前後往復動装置が収容されたギヤボックスα内に侵入、付着することを確実に防止できるので、内部の金属部品の腐食や潤滑油が劣化したりすることがなく、常時安定した良好な作動が得られる。
【００２２】
図９、図１０は第２実施例で、図９は魚釣用スピニングリ−ルの要部断面側面図、図１０は魚釣用スピニングリ−ルの要部拡大断面側面図である。
【００２３】
第２実施例では、操作レバ−３で逆転防止操作が出来るように構成されている。
リ−ル本体１の内部は駆動歯車１３とピニオン４ａからなる駆動装置や図示しないスプ−ル１４の前後往復動装置が収容されたギヤボックスαと、ギヤボックスαより前側の一方向クラッチＡと制動体２と挾持部材１５が収納された制動ボックスβと、ギヤボックスαより上側の操作レバ−３が収容された細長い凹部１ｃとで構成されている。
制動体２は制動ボックスβを構成するリ−ル本体１の前側筒部１ｈの上側の穴から制動ボックスβ内に挿入され、挾持部材１５は前側筒部１ｈの前側から制動ボックスβ内に挿入される。
【００２４】
細長い凹部１ｃの中に操作レバ−３と発条１６が内装されて細長い凹部１ｃの両側壁に軸承されたネジ筒軸１７で操作レバ−３が回動操作可能に軸承されている。
操作レバ−３はネジ筒軸１７が軸承される軸承部３ａと、前方上方に突出されて釣竿１０を握った手の指で牽引自在に配置された操作部３ｂと、リ−ル本体１の細長い凹部１ｃ内に延びた押動部３ｃとで形成されている。
軸承部３ａの後面には突起３ｄが形成され、軸承部３ａの前面で押動部３ｃの上側に前方に向けて逆転防止レバ−３ｅが形成されている。
操作レバ−３の押動部３ｃにはスリ割部が形成されてスリ割部に制動駒２７の後端部がピン３１と長孔２７ａで連結されている。
操作レバ−３は発条１６で押動部３ｃが制動駒２７を制動体２のフランジ状制動部２ｂより離間する図９、図１０で反時計方向に付勢されている。
【００２５】
細長い凹部１ｃ内の突起３ｄの後方の上下方向に凹部１ｍが形成されて発条９が取り付けられている。
発条９には操作レバ−３が図９、図１０の２点鎖線の逆転防止位置に回動された時突起３ｄが弾性的に係止される突出した係止凹部９ａが形成されている。
他の構成は前記第１実施例と略同一である。
【００２６】
操作レバ−３で制動が掛けられる時は、前記第１実施例と同一で操作部３ｂが上方に牽引される。
操作レバ−３で逆転防止が行われる時は、操作部３ｂが押し下げられる。
操作部３ｂが押し下げられると、逆転防止レバ−３ｅが制動体２の外周の歯形の逆転防止用の係止部２ｃに係止されて制動体２が逆転防止される。
【００２７】
【発明の効果】
本発明は、以上説明したような形態で実施され、以下に記載されるような効果を奏する。
【００２８】
請求項１により、ギャボックスと操作レバーを収容した凹部及び制動ボックスは仕切壁で仕切られているから、使用環境の厳しい釣場においても、海水、水、異物等が駆動装置や図示しないスプールの前後往復動装置が収容されたギャボックス内に侵入、付着することを確実に防止できるので、内部の金属部品の腐食や潤滑油が劣化したりすることがなく、常時安定した良好な作動が得られる。
【図面の簡単な説明】
【図１】第１実施例で、魚釣用スピニングリ−ルの一部断面側面図である。
【図２】同魚釣用スピニングリ−ルの一部断面平面図である。
【図３】同魚釣用スピニングリ−ルの要部断面側面図である。
【図４】同図２のＦ４−Ｆ４断面線の断面正面図である。
【図５】同魚釣用スピニングリ−ルの逆転防止が解除された要部拡大断面側面図である。
【図６】同制動装置の分解斜視図である。
【図７】同一方向クラッチと制動体の要部断面正面図である。
【図８】同制動操作が行われた要部拡大断面側面図である。
【図９】第２実施例で、魚釣用スピニングリ−ルの要部断面側面図である。
【図１０】同魚釣用スピニングリ−ルの要部拡大断面側面図である。
【符号の説明】
１  リ−ル本体
１ｃ  細長い凹部
１ｅ、１ｆ、１ｇ  仕切壁
２  制動体
３  操作レバ−
６  ロ−タ
Ａ  一方向クラッチ
α  ギヤボックス
γ  収容部
【図１】
0004011400.tif 000002
【図２】
0004011400.tif 000003
【図３】
0004011400.tif 000004
【図４】
0004011400.tif 000005
【図５】
0004011400.tif 000006
【図６】
0004011400.tif 000007
【図７】
0004011400.tif 000008
【図８】
0004011400.tif 000009
【図９】
0004011400.tif 000010
【図１０】
0004011400.tif 000011